(57)【要約】      （修正有）【課題】複数の板状体が隣接する板状体との間で互いに連結されていて、展張されて全体で弧状を形成する際に前記連結されている箇所で当該弧状の径方向外側及び径方向内側に山部と谷部とが当該弧状の周方向に交互に形成される蛇腹構造体において、展張されたときに目的としていたＲ状を維持でき、また、展張されたときのＲ状を所定の曲げＲに設定できる蛇腹構造体を提供する。【解決手段】各板状体は、互いの間に所定の間隔をあけていて、前記弧状を形成した際に径方向内側から径方向外側に向かって互いに平行に延びる第一壁と第二壁、および、当該第一壁と第二壁の径方向外側及び径方向内側の端辺同士の間に形成される径方向外側壁と径方向内側壁を備えている。第一壁、第二壁と、径方向外側壁、径方向内側壁との間に形成される角度θ１、θ２、θ３、θ４の間にθ１＋θ３＞θ２＋θ４という関係が成立する。【選択図】図３
2010159145.tif 000002
【特許請求の範囲】
【請求項１】
複数の板状体が隣接する板状体との間で互いに連結されていて、展張されて全体で弧状を形成する際に前記連結されている箇所で当該弧状の径方向外側及び径方向内側に山部と谷部とが当該弧状の周方向に交互に形成される蛇腹構造体であって、
前記複数の板状体は、それぞれ、互いの間に所定の間隔をあけていて、前記弧状を形成した際に径方向内側から径方向外側に向かって互いに平行に延びる第一壁と第二壁及び、当該第一壁と第二壁の径方向外側の端辺同士の間に形成される径方向外側壁、当該第一壁と第二壁の径方向内側の端辺同士の間に形成される径方向内側壁を有し、
隣接する板状体同士の間での連結は、
前記弧状が形成された際の前記山部における連結が、前記弧状が形成された際に周方向に隣接し当該山部を形成する２枚の板状体の一方の板状体における前記第一壁と第二壁の中の隣接する他方の板状体に対向する壁の前記径方向外側の端辺と、当該他方の板状体における前記第一壁と第二壁の中の前記一方の板状体に対向する壁の前記径方向外側の端辺とが連結され、
前記弧状が形成された際の前記谷部における連結が、前記弧状が形成された際に周方向に隣接し当該谷部を形成する２枚の板状体の一方の板状体における前記第一壁と第二壁の中の隣接する他方の板状体に対向する壁の前記径方向内側の端辺と、当該他方の板状体における前記第一壁と第二壁の中の前記一方の板状体に対向する壁の前記径方向内側の端辺とが連結される
ことによって行われ、
各板状体における前記径方向外側の端辺が隣接する板状体の前記径方向外側の端辺と連結されていない個所における前記第一壁または前記第二壁と、前記径方向外側壁との間に形成される角度をθ１、θ３とし、
各板状体における前記径方向内側の端辺が隣接する板状体の前記径方向内側の端辺と連結されていない個所における前記第一壁または前記第二壁と、前記径方向内側壁との間に形成される角度をθ２、θ４とするときに、
θ１＋θ３＞θ２＋θ４
の関係が成り立つことを特徴とする蛇腹構造体。
【請求項２】
複数の板状体が隣接する板状体との間で互いに連結されていて、展張されて全体で弧状を形成する際に前記連結されている箇所で当該弧状の径方向外側及び径方向内側に山部と谷部とが当該弧状の周方向に交互に形成される蛇腹構造体であって、
前記山部を形成する隣接する２枚の板状体の前記弧状の内周側面における前記谷部を形成する側の端同士の間に所定の長さの第一のテープ材が掛け渡されていると共に、
隣接する２つの山部を形成する隣接する４枚の板状体の中の最も端側に位置する２枚の板状体の前記弧状の内周側面における前記谷部を形成する側の端同士の間に前記第一のテープ材の二倍未満の長さを有する第二のテープ材が掛け渡されている
ことを特徴とする蛇腹構造体。
【発明の詳細な説明】
【技術分野】
【０００１】
この発明は、複数の板状体が隣接する板状体との間で互いに連結されていて、展張されて全体で弧状を形成する際に前記連結されている箇所で当該弧状の径方向外側及び径方向内側に山部と谷部とが当該弧状の周方向に交互に形成される蛇腹構造体に関する。
【背景技術】
【０００２】
前述した蛇腹構造体は従来から種々の用途に採用されている。
【０００３】
例えば、図１（ａ）図示のような重量物反転装置にこのような蛇腹構造体１が採用されている。
【０００４】
図１（ａ）は、最初、水平状態にあった一方の支持板１００の上に置かれていた重量物１０２が、水平状態になった他方の支持板１０１の上に移動された状態を表わしている。図示していないが、最初、一方の支持板１００が水平状態にあるときに、他方の支持板１０１が矢印１０４方向に回転し、一方の支持板１００と他方の支持板１０１との間に形成される角部に重量物１０２を保持する。次いで、一方の支持板１００と他方の支持板１０１との間に形成される角部に重量物１０２を保持している状態で支持板１００、１０１が同時に矢印１０３方向に回転する。これにより、図１（ａ）図示のように、水平状態になった他方の支持板１０１の上に重量物１０２が移動される。なお、この後、支持板１００は矢印１０４方向に回転してもとの水平状態（不図示）に戻る。
【０００５】
図示のような重量物反転装置の場合、蛇腹構造体１は反転装置の安全、防塵のためのカバーとして採用されるものであり、図１（ａ）中、図面の表面側と背面側には布体１ａが配備される。
【０００６】
この布体１ａを省略した図１（ｂ）、（ｃ）を用いて、従来の蛇腹構造体１を説明する。
【０００７】
蛇腹構造体１においては、複数の板状体２ａ、２ｂ、２ｃ、２ｄ、２ｅ、２ｆ、・・・（以下、総称して単に「板状体２」と表わすことがある）が、隣接する板状体２との間で互いに連結されている。そして、図１（ａ）のように展張されて全体で弧状が形成されるときには、図１（ｃ）図示のように、連結されている箇所において当該弧状の径方向外側及び径方向内側に山部３ａ、３ｃ、３ｅと、谷部３ｂ、３ｄ、３ｆとが当該弧状の周方向で交互に形成される。
【０００８】
このような従来の蛇腹構造体１の場合、山部３ｃを形成する隣接する２枚の板状体２ｃ、２ｄの、図１（ｃ）図示の弧状の内周側面における谷部３ｂ、３ｄを形成する側の端同士の間には所定の長さのテープ材１４が掛け渡されている。
【０００９】
すなわち、テープ材４の両端４ａ、４ｂが、それぞれ、山部３ａを形成する隣接する２枚の板状体２ａ、２ｂの弧状の内周側面における谷部を形成する側の端に取り付けられる。こうして、山部３ａを形成する隣接する２枚の板状体２ａ、２ｂの図１（ｃ）図示の弧状の内周側面における谷部を形成する側の端同士の間にテープ材４が掛け渡される。また、同じようにして、テープ材１４、２４が順次掛け渡される。
【００１０】
テープ材４、１４、２４はそれぞれ所定の長さを有している。すなわち、図１（ａ）〜（ｃ）図示のように展張されて、弧状が形成されたときにおける周方向に所定の長さを有している。図１図示の例では互いに同一の長さを有している。
【００１１】
また、合成樹脂などからなる板状体２ａ、２ｂ、２ｃ、２ｄ、２ｅ、２ｆ、・・もそれぞれ所定の長さを有している。すなわち、図１（ａ）〜（ｃ）図示のように展張されて、弧状が形成されたときにおける所定の周方向の長さを有している。この所定の長さは、図１図示の例では、テープ材４、１４、２４について同一の長さになっている。
【００１２】
図１（ａ）〜（ｃ）図示のように展張されて全体として弧状が形成されたときに、テープ材４、１４、２４はこれ以上延びない長さになっている。これは、展張されたときに図１（ａ）〜（ｃ）図示のようにＲ状が維持されることを目的としたものである。
【００１３】
このような従来の蛇腹構造体１の場合、展張されたときに目的としていたＲ状の所定の曲げＲを維持できず、直線状になってしまうことがあった。また、図１（ａ）〜（ｃ）図示のように展張されたときのＲ状を、希望する所定の曲げＲに設定できる提案はされていなかった。
【００１４】
筒状の蛇腹構造体、すなわち、蛇腹筒体構造においては、曲げ部分を所定の曲げＲに設定することを可能にする提案がされている（例えば、特許文献１）。
【００１５】
しかし、図１（ａ）〜（ｃ）を用いて説明した従来の蛇腹構造体１の場合、前述した課題に対する好適な提案はされていなかった。
【先行技術文献】
【特許文献】
【００１６】
【特許文献１】特開２００７−１７４８５４号公報
【発明の概要】
【発明が解決しようとする課題】
【００１７】
この発明は、図１（ａ）〜（ｃ）に図示したような、複数の板状体が隣接する板状体との間で互いに連結されていて、展張されて全体で弧状を形成する際に前記連結されている箇所で当該弧状の径方向外側及び径方向内側に山部と谷部とが当該弧状の周方向に交互に形成される蛇腹構造体において、展張されたときに目的としていたＲ状を維持でき、また、展張されたときのＲ状を所定の曲げＲに設定できる蛇腹構造体を提案することを目的にしている。
【課題を解決するための手段】
【００１８】
前記の目的を達成するため、この発明が提案する発明は次の通りのものである。
【００１９】
請求項１記載の発明は、
複数の板状体が隣接する板状体との間で互いに連結されていて、展張されて全体で弧状を形成する際に前記連結されている箇所で当該弧状の径方向外側及び径方向内側に山部と谷部とが当該弧状の周方向に交互に形成される蛇腹構造体であって、
前記複数の板状体は、それぞれ、互いの間に所定の間隔をあけていて、前記弧状を形成した際に径方向内側から径方向外側に向かって互いに平行に延びる第一壁と第二壁及び、当該第一壁と第二壁の径方向外側の端辺同士の間に形成される径方向外側壁、当該第一壁と第二壁の径方向内側の端辺同士の間に形成される径方向内側壁を有し、
隣接する板状体同士の間での連結は、
前記弧状が形成された際の前記山部における連結が、前記弧状が形成された際に周方向に隣接し当該山部を形成する２枚の板状体の一方の板状体における前記第一壁と第二壁の中の隣接する他方の板状体に対向する壁の前記径方向外側の端辺と、当該他方の板状体における前記第一壁と第二壁の中の前記一方の板状体に対向する壁の前記径方向外側の端辺とが連結され、
前記弧状が形成された際の前記谷部における連結が、前記弧状が形成された際に周方向に隣接し当該谷部を形成する２枚の板状体の一方の板状体における前記第一壁と第二壁の中の隣接する他方の板状体に対向する壁の前記径方向内側の端辺と、当該他方の板状体における前記第一壁と第二壁の中の前記一方の板状体に対向する壁の前記径方向内側の端辺とが連結される
ことによって行われ、
各板状体における前記径方向外側の端辺が隣接する板状体の前記径方向外側の端辺と連結されていない個所における前記第一壁または前記第二壁と、前記径方向外側壁との間に形成される角度をθ１、θ３とし、
各板状体における前記径方向内側の端辺が隣接する板状体の前記径方向内側の端辺と連結されていない個所における前記第一壁または前記第二壁と、前記径方向内側壁との間に形成される角度をθ２、θ４とするときに、
θ１＋θ３＞θ２＋θ４
の関係が成り立つことを特徴とする蛇腹構造体
である。
【００２０】
請求項２記載の発明は、
複数の板状体が隣接する板状体との間で互いに連結されていて、展張されて全体で弧状を形成する際に前記連結されている箇所で当該弧状の径方向外側及び径方向内側に山部と谷部とが当該弧状の周方向に交互に形成される蛇腹構造体であって、
前記山部を形成する隣接する２枚の板状体の前記弧状の内周側面における前記谷部を形成する側の端同士の間に所定の長さの第一のテープ材が掛け渡されていると共に、
隣接する２つの山部を形成する隣接する４枚の板状体の中の最も端側に位置する２枚の板状体の前記弧状の内周側面における前記谷部を形成する側の端同士の間に前記第一のテープ材の二倍未満の長さを有する第二のテープ材が掛け渡されている
ことを特徴とする蛇腹構造体
である。
【発明の効果】
【００２１】
この発明によれば、複数の板状体が隣接する板状体との間で互いに連結されていて、展張されて全体で弧状を形成する際に前記連結されている箇所で当該弧状の径方向外側及び径方向内側に山部と谷部とが当該弧状の周方向に交互に形成される蛇腹構造体であって、展張されたときに目的としていたＲ状を維持でき、また、展張されたときのＲ状を所定の曲げＲに設定できる蛇腹構造体を提供できる。
【図面の簡単な説明】
【００２２】
【図１】（ａ）重量物反転装置に採用されている蛇腹構造体の外観を説明する図、（ｂ）従来の蛇腹構造体が展張され、弧状が形成された状態を説明する一部を省略した側面図、（ｃ）図１（ｂ）の一部拡大図。
【図２】本発明の蛇腹構造体の一例を説明する図であって、蛇腹構造体が展張され、弧状が形成された状態を説明する一部を省略した側面図。
【図３】図２図示の蛇腹構造体が最も大きく展張されて弧状を形成した際の隣接する板状体同士の連結部に形成される角度の関係を説明する一部を省略した側面図。
【図４】図２図示の蛇腹構造体を構成する板状体を説明する一部を省略した斜視図。
【図５】本発明の蛇腹構造体の他の例を説明する図であって、（ａ）は蛇腹構造体が展張され、弧状が形成された状態を説明する一部を省略した側面図、（ｂ）は第一、第二のテープ材が板状体に取り付けられる形態の一例を説明する一部を省略した正面図。
【図６】（ａ）、（ｂ）、（ｃ）、（ｄ）は、図２図示の本発明の蛇腹構造体が展張された場合にとり得る形状の例を説明する側面図。
【図７】（ａ）、（ｂ）、（ｃ）、（ｄ）は、図５図示の本発明の蛇腹構造体が展張された場合にとり得る形状の例を説明する側面図。
【発明を実施するための形態】
【００２３】
以下、添付図面を参照して本発明の好ましい実施例を説明する。
【実施例１】
【００２４】
図２〜図４は、本発明の蛇腹構造体３０を説明するものである。なお、本発明の蛇腹構造体３０の基本的な構造は図１（ａ）〜（ｃ）を用いて説明した従来の蛇腹構造体１と同一であるので、本発明の蛇腹構造体３０の特徴的な構造部分のみ図２〜図４に図示している。
【００２５】
蛇腹構造体３０では、図１（ａ）〜（ｃ）を用いて説明した従来の蛇腹構造体１と同じく、複数の板状体３２ａ、３２ｂ、３２ｃ、３２ｄ、３２ｅ、３２ｆ、・・（以下、総称して単に「板状体３２」と表わすことがある）が、隣接する板状体３２との間で互いに連結されている。そして、図２図示のように展張されて全体で弧状を形成するときには、連結されている箇所において当該弧状の径方向外側及び径方向内側に山部３３ａ、３３ｃ、３３ｅと、谷部３３ｂ、３３ｄとが当該弧状の周方向で交互に形成される。
【００２６】
複数の板状体３２は、図４図示のように、それぞれ、第一壁７１、第二壁７０、径方向外側壁７２、７４、径方向内側壁７３、７５を備えている、所定の厚み（Ｗ）（図４）を有する板状体である。
【００２７】
第一壁７１と第二壁７０とは、互いの間に所定の間隔（Ｗ）（図４）をあけていて、全体として図１（ａ）、図２図示のように弧状を形成した際には、径方向内側から径方向外側に向かって互いに平行に延びる形態になっている。
【００２８】
径方向内側壁７３、７５は第一壁７１と第二壁７０の径方向内側の端辺同士の間に形成される。
【００２９】
径方向外側壁７２、７４は第一壁７１と第二壁７０の径方向外側の端辺同士の間に形成される。
【００３０】
図示の実施形態では、図３、図４図示のように、板状体３２ａ、３２ｃは、それぞれ、第一壁７１、第二壁７０、径方向外側壁７４、径方向内側壁７５を備えている板状体である。そして、全体として図１（ａ）、図２図示のように弧状を形成した際に板状体３２ａ、３２ｃに周方向で隣接し、板状体３２ａ、３２ｃの間に位置する板状体３２ｂは、第一壁７１、第二壁７０、径方向外側壁７２、径方向内側壁７３を備えている板状体である。
【００３１】
この実施例の蛇腹構造体３０における隣接する板状体３２同士の間での連結は次のようになっている。
【００３２】
全体として図１（ａ）、図２図示のように弧状が形成された際の山部３３ａ、３３ｃ、３３ｅにおける連結は次のように行われる。
【００３３】
全体として図１（ａ）、図２図示のように弧状が形成された際に周方向に隣接し、山部３３ａを形成する２枚の板状体３２ａ、３２ｂの一方の板状体３２ａにおける第二壁７０（他方の板状体３２ｂに対向する壁）の径方向外側の端辺と、他方の板状体３２ｂの第一壁７１（一方の板状体３２ａに対向する壁）の径方向外側の端辺とが連結される。
【００３４】
全体として図１（ａ）、図２図示のように弧状が形成された際の谷部３３ｂ、３３ｄにおける連結は次のように行われる。
【００３５】
全体として図１（ａ）、図２図示のように弧状が形成された際に周方向に隣接し、谷部３３ｂを形成する２枚の板状体３２ｂ、３２ｃの一方の板状体３２ｂにおける第二壁７０（隣接する他方の板状体３２ｃに対向する壁）の径方向内側の端辺と、他方の板状体３２ｃにおける第一壁７１（一方の板状体３２ｂに対向する壁）の径方向内側の端辺とが連結される。
【００３６】
図４では、弧状が形成された際に周方向に隣接する板状体３２ａ、３２ｂ、３３ｃの間の連結構造のみ説明した。同様にして複数の隣接する板状体３２同士が連結され、図２図示のように展張されて全体で弧状を形成するときには、連結されている箇所において当該弧状の径方向外側及び径方向内側に山部３３ａ、３３ｃ、３３ｅ、・・、谷部３３ｂ、３３ｄ、・・・が当該弧状の周方向に交互に形成される。
【００３７】
この実施例の蛇腹構造体３０において、各板状体３２の径方向外側の端辺が隣接する板状体３２の径方向外側の端辺と連結されていない個所における第一壁７１または第二壁７０と、径方向外側壁７４または径方向外側壁７２との間に形成される角度をθ３、θ１とする。
【００３８】
また、各板状体３２の径方向内側の端辺が隣接する板状体３２の径方向内側の端辺と連結されていない個所における第一壁７１または第二壁７０と、径方向内側壁７３または径方向内側壁７５との間に形成される角度をθ４、θ２とする。
【００３９】
図示の実施形態では、板状体３２ａの第一壁７１における径方向外側の端辺は周方向に隣接する板状体の径方向外側の端辺と連結されていない。そこで、板状体３２ａにおいて、第一壁７１と径方向外側壁７４との間に形成される角度がθ３となる。
【００４０】
また、板状体３２ｂの第二壁７０における径方向外側の端辺は周方向に隣接する板状体３２ａ、３２ｃの径方向外側の端辺と連結されていない。そこで、板状体３２ｂにおいて、第二壁７０と径方向外側壁７２との間に形成される角度がθ１となる。
【００４１】
更に、板状体３２ｃの第一壁７１における径方向外側の端辺は周方向に隣接する板状体３２ｂ、等の径方向外側の端辺と連結されていない。そこで、板状体３２ｃにおいて、第一壁７１と径方向外側壁７４との間に形成される角度がθ３となる。
【００４２】
更に、図示の実施形態では、板状体３２ａの第二壁７０における径方向内側の端辺は周方向に隣接する板状体３２ｂの径方向内側の端辺と連結されていない。そこで、板状体３２ａにおける第二壁７０と径方向内側壁７５との間に形成される角度がθ２となる。
【００４３】
また、板状体３２ｂの第一壁７１における径方向内側の端辺は周方向に隣接する板状体３２ａ、３２ｃの径方向内側の端辺と連結されていない。そこで、板状体３２ｂにおける第一壁７１と径方向内側壁７３との間に形成される角度がθ４となる。
【００４４】
更に、板状体３２ｃの第二壁７０における径方向内側の端辺は周方向に隣接する板状体３２ｂ、等の径方向内側の端辺と連結されていない。そこで、板状体３２ｃにおける第二壁７０と径方向内側壁７５との間に形成される角度がθ２となる。
【００４５】
この実施例の蛇腹構造体３０においては、下記の関係式
θ１＋θ３＞θ２＋θ４
の関係が成立している。
【００４６】
全体として図１（ａ）、図２図示のように弧状が形成され、最も大きく展張された場合には、図３図示の状態となり、θ１＋θ３の角度と、θ２＋θ４の角度との関係は図３図示のようになる。
【００４７】
そこで、上述した関係式が成立していれば必ず図２図示のように湾曲するＲ状が形成される。
【００４８】
この結果、本発明の蛇腹構造体３０においては、図１（ａ）〜（ｃ）を用いて説明した従来の蛇腹構造体１に必要であったテープ材４、１４、２４は不要になる。
【００４９】
そして、最も大きく展張された場合であっても、上述した関係式が成立していれば必ず図２図示のように湾曲するＲ状が形成され、直線状になることはない。
【００５０】
しかも、θ１、θ２、θ３、θ４を上述した関係式が成立する範囲において任意に定めることによって、最も大きく展張された際の曲げＲを所定の値に設定することができる。これによって、図６（ａ）、（ｂ）、（ｃ）図示のような所望の曲げＲからなる湾曲構造を形成することができる。
【００５１】
更に、（θ１＋θ３）＝（θ２＋θ４）の関係が成立するようにすれば、最も大きく展張された際に図６（ｃ）図示のように、直線状に展張される蛇腹構造体１１２とすることもできる。
【００５２】
図２〜図４において、３４ａ、３４ｂ、３４ｃ、３４ｄ、３４ｅで示されているものは、隣接する板状体３２同士の連結部に形成される支点である。
【００５３】
図２〜図４において、山部３３ａを挟んでいる板状体３２ａ及び板状体３２ｂの構造を一ユニットとして合成樹脂材料から成型し、これを多数連結することによって、蛇腹構造体３０を作ることができる。
【００５４】
このため、この実施例の蛇腹構造体３０の製作に要する備品点数を少なくしてコストの低下を図り、また、簡単に蛇腹構造体３０を作製することができる。
【実施例２】
【００５５】
図５（ａ）、（ｂ）は、本発明の他の蛇腹構造体４０を説明するものである。なお、本発明の蛇腹構造体４０の基本的な構造は図１（ａ）〜（ｃ）を用いて説明した従来の蛇腹構造体１と同一であるので、本発明の蛇腹構造体４０の特徴的な構造部分のみ図５（ａ）、（ｂ）に図示している。
【００５６】
図５（ａ）、（ｂ）図示の蛇腹構造体４０では、図１（ａ）〜（ｃ）を用いて説明した従来の蛇腹構造体１と同じく、複数の板状体４２ａ、４２ｂ、４２ｃ、４２ｄ、４２ｅ、４２ｆ、・・（以下、総称して単に「板状体４２」と表わすことがある）が、隣接する板状体４２との間で互いに連結されている。そして、図５（ａ）のように展張されて全体で弧状を形成するときには、連結されている箇所において当該弧状の径方向外側及び径方向内側に山部４３ａ、４３ｃ、４３ｅと、谷部４３ｂ、４３ｄとが当該弧状の周方向に交互に形成される。
【００５７】
この実施例の蛇腹構造体４０においては、各板状体４２は、図１（ａ）〜（ｃ）を用いて説明した従来例と同じく、薄板状であって、実施例１の板状体３２のような厚み（Ｗ）を有していない。
【００５８】
そして、この実施例の蛇腹構造体４０においては、図１（ａ）〜（ｃ）を用いて説明した従来例と同じく、山部４３ｃを形成する隣接する２枚の板状体４２ｃ、４２ｄの、図５（ａ）図示の弧状の内周側面における谷部４３ｂ、４３ｄを形成する側の端同士の間に所定の長さのテープ材４４が掛け渡されている。
【００５９】
すなわち、テープ材４４の両端４４ａ、４４ｂが、それぞれ、山部４３ａを形成する隣接する２枚の板状体４２ａ、４２ｂの弧状の内周側面における谷部を形成する側の端に取り付けられ、山部４３ａを形成する隣接する２枚の板状体４２ａ、４２ｂの、図５（ａ）図示の弧状の内周側面における谷部４３ｂを形成する側の端同士の間にテープ材４４が掛け渡される。また、同じようにして、図５（ａ）、（ｂ）図示のように、テープ材５４、６４が順次掛け渡されている。
【００６０】
この実施例における第一のテープ材であるテープ材４４、５４、６４はそれぞれ所定の長さを有している。すなわち、図５（ａ）図示のように展張されて、弧状が形成されたときにおける周方向の長さが所定の長さになっている。図示の例では、第一のテープ材であるテープ材４４、５４、６４のこの所定の長さは互いに同一になっている。
【００６１】
そして、この実施例では、隣接する２つの山部４３ａ、４３ｃを形成する隣接する４枚の板状体４２ａ、４２ｂ、４２ｃ、４２ｄの中の最も端側に位置する２枚の板状体４２ａ、４２ｄの、図５（ａ）に図示されている弧状の内周側面における谷部を形成する側の端同士の間に第二のテープ材であるテープ材４５が掛け渡されている。この第二のテープ材の長さは、第一のテープ材であるテープ材４４、５４、６４の二倍未満の長さになっている。
【００６２】
図５（ｂ）は、第一のテープ材であるテープ材４４、５４、６４、第二のテープ材であるテープ材４５、４６、４７が、板状体４２に取り付けられる一例を説明する図である。
【００６３】
第二のテープ材であるテープ材４５の一方の端部である端４５ａは、板状体４２ａの内周側の端面に、第一のテープ材であるテープ材４４の一方の端部である端４４ａと同じようにして取り付けられている。そして、テープ材４５の他方の端部である端４５ｂは、板状体４２ｄの内周側の端面に、第一のテープ材であるテープ材５４の他方の端部である端５４ｂと同じようにして取り付けられている。
【００６４】
同様に、第二のテープ材であるテープ材４６の一方の端部である端４６ａは、板状体４２ｃの内周側の端面に、第一のテープ材であるテープ材５４の一方の端部である端５４ａと同じようにして取り付けられている。そして、テープ材４６の他方の端部である端４６ｂは、板状体４２ｆの内周側の端面に、第一のテープ材であるテープ材６４の他方の端部である端６４ｂと同じようにして取り付けられている。
【００６５】
このように、山部４３ａ、等を形成する隣接する２枚の板状体４２ａ、４２ｂの弧状の内周側面における谷部を形成する側の端同士の間に所定の長さの第一のテープ材であるテープ材４４、等が掛け渡されていると共に、隣接する２つの山部４３ａ、４３ｃを形成する隣接する４枚の板状体４２ａ、４２ｂ、４２ｃ、４２ｄの中の最も端側に位置する２枚の板状体４２ａ、４２ｄの、図５（ａ）に図示されている弧状の内周側面における谷部を形成する側の端同士の間に第一のテープ材の二倍未満の長さを有する第二のテープ材であるテープ材４５が掛け渡されている。
【００６６】
そこで、最も大きく展張された場合であっても、必ず、図５（ａ）図示のように湾曲するＲ状が形成され、直線状になることはない。
【００６７】
すなわち、最も大きく展張された場合、第二のテープ材の長さが第一のテープ材の長さの２倍未満であることから、第一のテープ材であるテープ材４４、５４、６４がこれ以上延びることのできない状態で掛け渡されるようになる前に、第二のテープ材であるテープ材４５、４６、４７が図５（ａ）図示のように延びて、これ以上延びることができない状態になる。そこで、最も大きく展張された場合、必ず、図５（ａ）図示のように湾曲するＲ状が形成されて直線状になることはない。
【００６８】
この場合、第一のテープ材であるテープ材４４、５４、６４の長さ、第二のテープ材であるテープ材４５、４６、４７の長さを、第二のテープ材の長さを第一のテープ材の長さの２倍未満の範囲で適宜に調整することで、展張されたときのＲ状を所定の曲げＲに設定できる蛇腹構造体４０を提供できる。
【００６９】
これによって、図７（ａ）、（ｂ）、（ｄ）に符号１１４、１１５、１１６で示すように、所望の曲げＲからなる湾曲構造を形成することができる。
【００７０】
更に、第二のテープ材であるテープ材４５、４６、４７の長さが、第一のテープ材であるテープ材４４、５４、６４の長さの２倍になるようにすれば、最も大きく展張された際に図７（ｃ）に符号１１６で示すように、直線状に展張される蛇腹構造体１１２とすることもできる。
【００７１】
ここでも図５（ａ）において、山部４３ａを挟んでいる板状体４２ａ及び板状体４２ｂの構造を一ユニットとして合成樹脂材料から成型し、これを多数連結することによって、蛇腹構造体４０を作ることができる。
【００７２】
このため、この実施例の蛇腹構造体４０の製作に要する備品点数を少なくしてコストの低下を図り、また、簡単に蛇腹構造体４０を作製することができる。
【００７３】
以上、本発明の好ましい実施形態を添付図面を参照して説明したが、本発明はかかる実施形態に限定されるものではなく、特許請求の範囲の記載から把握される技術的範囲において種々の形態に変更可能である。
【符号の説明】
【００７４】
３０  蛇腹構造体
３２、３２ａ、３２ｂ、３２ｃ、３２ｄ、３２ｅ、３２ｆ  板状体
３３ａ、３３ｃ、３３ｅ  山部
３３ｂ、３３ｄ  谷部
３４ａ、３４ｂ、３４ｃ、３４ｄ、３４ｅ  支点
４０  蛇腹構造体
４２、４２ａ、４２ｂ、４２ｃ、４２ｄ、４２ｅ、４２ｆ  板状体
４３ａ、４３ｃ、４３ｅ  山部
４３ｂ、４３ｄ  谷部
４４、５４、６４  テープ材（第一のテープ材）
４５、４６、４７  テープ材（第二のテープ材）
【図１】
2010159145.tif 000003
【図２】
2010159145.tif 000004
【図３】
2010159145.tif 000005
【図４】
2010159145.tif 000006
【図５】
2010159145.tif 000007
【図６】
2010159145.tif 000008
【図７】
2010159145.tif 000009